(57)【要約】      （修正有）【課題】排紙状況によらず、装置を使用する操作者が困惑することなく手動で後処理動作を行うことができる画像形成システムを提供する。【解決手段】受信した印刷ジョブを用紙に対して、印刷を行う印刷部と、前記印刷部により印刷された用紙を排出する排出部と、前記排紙部で排出された複数の用紙に対して、後処理動作を行う後処理モードを設定可能であるとともに、前記排出部で排出された複数の用紙に対して、ジョブ毎に仕分け動作を仕分けモードを切替可能に構成される後処理部と、前記後処理動作を行う場合に、前記後処理動作が不可であると判断した場合には、前記後処理部は、仕分け動作を行うとともに、前記印刷部に対して、少なくとも前記印刷ジョブの最終頁の裏面に、裏面用後処理位置を印刷するように前記印刷部を制御する制御部と、を備えることを特徴とする画像形成システム。【選択図】図４
2014193562.tif 000002
【特許請求の範囲】
【請求項１】
受信した印刷ジョブを用紙に対して、印刷を行う印刷部と、
前記印刷部により印刷された用紙を排出する排出部と、
前記排紙部で排出された用紙に対して、後処理動作を行う後処理モードを設定可能であるとともに、前記排出部で排出された用紙に対して、ジョブ毎に仕分け動作を行う仕分けモードとを切替可能に構成される後処理部と、
前記後処理動作を行う場合に、前記後処理動作が不可であると判断した場合には、前記後処理部は、仕分け動作を行うとともに、
前記印刷部に対して、少なくとも前記印刷ジョブの最終頁の裏面に、裏面用後処理位置を印刷するように前記印刷部を制御する制御部と、
を備えることを特徴とする画像形成システム。
【請求項２】
前記制御部は、さらに、前記印刷ジョブの最初のページの表面に、表面用後処理位置を印刷するように前記印刷部を制御すること
を特徴する請求項１記載の画像形成システム。
【請求項３】
前記制御部は、ソートモード条件、表面及び裏面後処理位置の印刷指定条件を設定できるように制御すること
を特徴とする請求項２記載の画像処理装置。
【発明の詳細な説明】
【技術分野】
【０００１】
本発明は、画像形成システムにおいて、印刷部により印刷された用紙に対して後処理を行う後処理部を組み込んだ画像形成システムに関するものである。
【背景技術】
【０００２】
従来から、画像形成システムにおいて、印刷部により印刷された用紙に対して、ステープル動作やパンチ動作等の後処理を行う後処理部を組み込んだ画像形成システムが知られている。
【０００３】
上記後処理部において、ステープル動作やパンチ動作は、最大許容枚数が決められており、その枚数を越えて後処理動作を行う場合がある。ステープル動作の場合には、ステープルの針が、用紙束に挿入される際に、用紙束の途中で座屈を生じて、綴じが不完全になる場合がある。また、パンチ動作の場合には、パンチ動作を行うモータに過大な負荷がかかり、パンチ動作が停止することにより、画像形成システム全体が停止することになり、画像形成システムの稼働時間が減少し、生産性に影響を与える不具合が生じる。
【０００４】
そこで、特許文献１として、記録紙がステープル部の最大綴じ枚数を越えた場合に、後処理装置をソートモードに切り換え、記録紙束に対するステープルを禁止して記録紙束を排出させるように制御する技術が開示されている。
【先行技術文献】
【特許文献】
【０００５】
【特許文献１】特開平５−１６９８７５号公報
【発明の概要】
【発明が解決しようとする課題】
【０００６】
上記特許文献１は、後処理装置において、用紙束がソートモードに切替えられて排出されるため、後処理部の異常により、画像形成システムが停止することなく、通常に印刷した場合と稼働時間を同じくして用紙を排出することが可能になる。
【０００７】
しかしながら、画像形成システムを使用する操作者は、用紙束に対してステープル動作を手動で行わなければならない。この場合、用紙束を単に取り出しただけでは、ステープルの位置、方向、数などを、直ちに認識できない問題がある。
【０００８】
また、近年の用紙束の印刷状況を鑑みると、両面印刷されて綴じられる場合には、ステープルやパンチなどの後処理形態は、印刷物の最終的な仕上がり状態を決定するものである。したがって、印刷物を作成した作成者の意図とは異なった位置にステープルやパンチなどがなされると、その印刷物を使用するユーザは、困惑する状況になりうる。
【０００９】
そして、印刷物を作成した作成者が印刷を行い、作成者自身が手動でステープル動作を行う場合には、後処理動作を意図どおりになされる場合が多い。しかしながら、近年の印刷物の多様化により、大量にまとめて印刷する場合、印刷物の作成者と、装置を使用して印刷物を印刷する操作者が異なる場合がある。このような場合には、作成者と操作者が異なることにより、特に、意図しない位置にステープル動作がなされ、印刷物の仕上がりが悪くなってしまい、再作成を余儀なくされる問題がある。
【００１０】
さらに、例えば、ステープルの位置を明確にするよう、用紙束の表面のステープルの位置を印字して出力する場合には、フェースダウン排紙やフェースアップ排紙などの排紙状況によっては、装置を使用して印刷物を印刷する操作者は、どちらの方向からステープルをしていいのか、直ちに認識することが難しい状況にある。
【００１１】
本発明は、上記事情に鑑み、パンチ動作やステープル動作等の後処理動作が不可の場合に、ソートモードに切り替えて排出するとともに、印刷ジョブの最終頁に、裏面用の後処理位置を印刷するように制御することで、排紙状況によらず、装置を使用して印刷物を印刷する操作者が困惑することなく手動で後処理動作を行うことができる画像形成システムを提供することを目的とするものである。
【課題を解決するための手段】
【００１２】
（１）
受信した印刷ジョブを用紙に対して、印刷を行う印刷部と、
前記印刷部により印刷された用紙を排出する排出部と、
前記排紙部で排出された用紙に対して、後処理動作を行う後処理モードを設定可能であるとともに、前記排出部で排出された用紙に対して、ジョブ毎に仕分け動作を行う仕分けモードとを切替可能に構成される後処理部と、
前記後処理動作を行う場合に、前記後処理動作が不可であると判断した場合には、前記後処理部は、仕分け動作を行うとともに、
前記印刷部に対して、少なくとも前記印刷ジョブの最終頁の裏面に、裏面用後処理位置を印刷するように前記印刷部を制御する制御部と、
を備えることを特徴とする画像形成システム。
【００１３】
前記制御部は、さらに、前記印刷ジョブの最初のページの表面に、表面用後処理位置を印刷するように前記印刷部を制御すること
を特徴する（１）記載の画像形成システム。
【００１４】
（３）
前記制御部は、ソートモード条件、表面及び裏面後処理位置の印刷指定条件を設定できるように制御すること
を特徴とする（２）記載の画像処理装置。
【発明の効果】
【００１５】
本発明の第一の画像形成システムによれば、ステープル動作やパンチ動作等の後処理動作が不可の場合に、ソートモードに切り替えて排出するとともに、印刷ジョブの最終頁に裏面用の後処理位置を印刷するように制御することで、排紙状況によらず、装置を使用して印刷物を印刷する操作者が手動による後処理を困惑することなく行うことができる画像形成システムを提供することができる。また、最終頁の裏面に後処理位置を印刷するため、すべての頁に印字する必要がない。
【００１６】
本発明の第二の画像形成システムによれば、さらに、表面後処理位置が用紙に対して印刷されているため、フェースダウン排紙だけではなく、フェースアップ排紙も加味された上で、排紙状況によらず、後処理指示位置が付されているため、より困惑せずに操作者がステープルやパンチを行うことができる。
【００１７】
本発明の第三の画像形成システムによれば、操作者の要望に応じて、後処理位置の印刷可否を設定できるため、操作性が向上する。
【図面の簡単な説明】
【００１８】
【図１】本実施形態における画像形成システムの概略構成図
【図２】本実施形態における後処理装置の全体図
【図３】本実施形態における画像形成システムの制御構成を示すブロック図
【図４】本実施形態における画像形成システムの制御構成を示す制御フロー図
【図５】本実施形態における画像形成システムから排出された用紙束の状態を示す概略図
【発明を実施するための形態】
【００１９】
以下、図面を参照して本実施形態における画像形成システムを説明する。図１は、画像形成システム１００の概略構成図である。
【００２０】
図１に示すように、本実施形態における画像形成システム１００は、外部給紙台１０２と、内部給紙台１０４と、外部給紙ローラ１０６、内部給紙ローラ１０８と、レジストローラ１１０と、搬送ベルト１１２と、印刷部１１４と、上昇搬送ローラ１１６と、水平搬送ローラ１２０と、切替部１２２と、排出搬送ローラ１２４と、後処理装置２００と、排紙台２１４と、反転搬送ローラ１２６と、反転ローラ１２８と、再給紙ローラ１３０と、表示部１３２と、給紙系搬送経路ＦＲと、通常搬送経路ＣＲと、排出系搬送路ＤＲと、反転搬送経路ＳＲと、を備えている。
【００２１】
外部給紙台１０２及び内部給紙台１０４は、印刷に用いられる用紙を積載している。外部給紙台１０２は、一部が画像形成システム１００の外部に露出して設置されている。
【００２２】
内部給紙台１０４は、外部給紙台１０２と同様に印刷に用いられる用紙を積載している。内部給紙台１０４は、画像形成システム１００の内部に設置されている。
【００２３】
外部給紙ローラ１０６及び内部給紙ローラ１０８は、外部給紙台１０２及び内部給紙台１０４から用紙を一枚ずつ取り出し給紙系搬送路ＦＲに沿って、レジストローラ１１０へ向けて搬送する。
【００２４】
レジストローラ１１０は、外部給紙ローラ１０６、内部給紙ローラ１０８、後述する再給紙ローラ１３０から搬送されてきた用紙を一旦止めた後、斜行補正を行い、搬送ベルト１１２及び印刷部１１４に向けて搬送する。
【００２５】
搬送ベルト１１２は、レジストローラ１１０の下流側に配置され、レジストローラ１１０により搬送された用紙を、搬送ベルト１１２の表面に形成された搬送面に吸着させつつ、搬送する。搬送ベルト１１２は、駆動ローラ及び従動ローラに架け渡される環状の無端状ベルトである。搬送ベルト１１２には、用紙を吸着保持するための貫通孔であるベルト孔（不図示）が多数形成されている。搬送ベルト１１２は、駆動ローラの駆動により、図１における時計回り方向に回転することで、搬送面上に吸着保持した用紙を図１における右方向に向けて搬送する。
【００２６】
印刷部１１４は、搬送ベルト１１２の上部に配置され、用紙の搬送方向と略直交する方向に複数のノズルが配列されたラインタイプのインクジェットヘッドを有する。印刷部１１４は、搬送ベルト１１２により搬送される用紙にインクジェットヘッドのノズルからインクを吐出して画像を印刷する。
【００２７】
上昇搬送ローラ１１６は、用紙をニップしつつ、搬送ベルト１１２から受け渡され、印刷部１１４により印刷された用紙を図１における上昇方向へ、水平搬送ローラ１２０に向けて搬送する。
【００２８】
水平搬送ローラ１２０は、用紙をニップしつつ、上昇搬送ローラ１１６から受け渡された用紙を図１における右方向から左方向へと搬送する。水平搬送ローラ１２０は、通常搬送経路ＣＲに沿って配置されている。
【００２９】
切替部１２２は、用紙の搬送経路を排出系搬送経路ＤＲと反転系搬送経路ＳＲとの間で切り替えるように構成される。切替部１２２は、排出系搬送経路ＤＲと反転系搬送経路ＳＲとの分岐点に配置されている。
【００３０】
本実施形態において、用紙に対して両面印刷される場合、切替部１２２は、片面印刷済の用紙を反転搬送経路ＳＲ側に用紙が搬送されるように、反転搬送ローラ１２６側に搬送されるように切り替える。
【００３１】
反転搬送ローラ１２６は、通常搬送経路ＣＲから切替部１２２により切り替えられた用紙を、反転ローラ１２８に向けて搬送する。
【００３２】
反転ローラ１２８は、片面印刷済の用紙を一時的に反転搬送経路ＳＲに一時的に搬入した後に搬出して、再給紙ローラ１３０へ向けて搬送する。反転ローラ１２８は、反転搬送経路ＳＲ上に配置されている。反転搬送経路ＳＲは、用紙を一時的に搬入するための空間である。反転搬送経路ＳＲは、後処理装置２００の下方に形成されている。
【００３３】
再給紙ローラ１３０は、反転ローラ１２８により搬送されてきた用紙をレジストローラ１１０へ向けて搬送する。再給紙ローラ１３０は、反転ローラ１２８と、レジストローラ１１０とで形成される経路上に配置されている。片面が印刷された用紙は、レジストローラ１１０から、搬送ベルト１１２に搬送され、印刷部１１４により印刷され、上昇搬送ローラ１１６及び水平搬送ローラ１２０を搬送される。
【００３４】
また、片面印刷または両面印刷で用紙が排出される場合、通常搬送経路ＣＲにおける切替部１２２に到達すると、排出系搬送経路ＤＲに切り替えられ、切替部１２２から、排出搬送ローラ１２４にニップされながら搬送される。
【００３５】
排出搬送ローラ１２４は、水平搬送ローラ１２０から用紙を受け取り、ニップしながら、後処理装置２００の後処理搬送ローラ２０２に向けて搬送する。
【００３６】
後処理搬送ローラ２０２は、後処理装置２００に配置され、印刷された用紙を排出搬送ローラ１２４から受け取る。後処理搬送ローラ２０２は、後処理装置２００内に配置される排出ローラ２０４に用紙を受け渡す。
【００３７】
印刷された単一の用紙または用紙束は、ステープルやパンチなどの後処理が施される場合には、排出ローラ２０４から後処理部２１２に搬送され、後処理が施され、反転排出ローラ２０６を経由して排紙台２１４に排出される。後処理が施されない場合には、排出ローラ２０４から反転排出ローラ２０６を経由して、排紙台２１４に排出される。
【００３８】
表示部１３２は、画像形成システム１００におけるユーザからの指示を操作するパネルであり、画像形成システム１００の装置上面に備えられている。
【００３９】
次に、図２を参照して、後処理装置２００における用紙の動作を詳細に説明する。
【００４０】
後処理装置２００は、後処理搬送ローラ２０２と、排出ローラ２０４と、反転排出ローラ２０６と、支持部材２０８と、後処理送出ローラ２１０と、後処理部２１２と、排紙台２１４と、を備えている。本実施形態において、後処理装置２００における排出においては、１枚ずつ用紙を排出する場合、すなわち単一の用紙の場合か、または複数枚の用紙をまとめて排出する場合、すなわち用紙束として排出する場合かで、排出動作が異なっている。
【００４１】
本実施形態において、単一の用紙を排出する場合、後処理搬送ローラ２０２は、通常排紙経路ＣＲから用紙が１枚ずつ排出され、排出搬送ローラ１２４から用紙を受け取り、搬送する。また、排出ローラ２０４は、後処理搬送ローラ２０２から搬送された用紙をニップする。そして、反転排出ローラ２０６は、排出ローラ２０４から用紙を受け取り、排紙台２１４に用紙を一枚ずつ排紙する。
【００４２】
本実施形態において、後処理装置２００は、ソートモードを設定可能に構成されている。ソートモードの場合には、画像形成システム１００に受信されたジョブの所定枚数に応じて、排紙台２１４が図示しないモータなどの駆動手段によって、図２に向かって紙面方向、すなわち、用紙排出方向と直行する方向に動作することによって、用紙に対して仕分け動作を行って排出するように構成される。
【００４３】
本実施形態において、用紙束として排出される場合、後処理装置２００は、ステープルやパンチなどの後処理を後処理部２１２により施して排出する。まず、通常排紙経路ＣＲから用紙が１枚ずつ排出され、後処理搬送ローラ２０２は、排出搬送ローラ１２４から用紙を受け取り、搬送する。
【００４４】
また、排出ローラ２０４は、後処理搬送ローラ２０２から搬送された用紙をニップする。また、反転排出ローラ２０６は、排出ローラ２０４から搬送された用紙をニップし、後処理部２１２に向かって、排出方向と反対方向、すなわち図２の紙面に対して、左方向から右方向に向かって搬送するように回転する。反転させられた用紙は、支持部材２０８に排出されるとともに、後処理送出ローラ２１０によって、後処理部２１２に送出される。
【００４５】
後処理部２１２は、受信されたジョブに基づいて、所定枚数の所定箇所へのステープルまたはパンチ動作を行う。後処理動作がなされた用紙束は、後処理送出ローラ２１０により、支持部材２０８を経由して反転排出ローラ２０６へ送出される。反転排出ローラ２０６は、反転時にニップされているが、用紙束を排出する場合には、そのニップが解除される。このため、用紙束は、反転排出ローラ２０６から排紙台２１４に向かって排出される。
【００４６】
なお、本実施形態において、後処理部２１２の例として、針により用紙束を綴じるステープル動作、パンチにより用紙束に貫通孔をあけるパンチ動作を説明した。後処理部２１２は、上記実施形態に限らず、用紙に捺印処理を行うスタンプ動作、用紙の周りを切り取るトリマー動作、用紙に折り処理を行う折り動作、を含むものである。
【００４７】
次に、図３を参照して、本実施形態における制御ブロックを説明する。本実施形態においては、画像形成システム１００は、パーソナルコンピュータ（ＰＣ）３０１が接続されている。画像形成システム１００は、受信部３０３と、制御部３０５と、給紙部３０７と、印刷部３０９と、反転部３１１と、後処理部３１３と、排出部３１５とを備えている。
【００４８】
ＰＣ３０１は、画像形成システム１００に接続され、画像形成システム１００に対して、ユーザの操作により、印刷に必要なジョブデータを送信する。ジョブデータには、両面印刷の有無や長辺綴じや短辺綴じなどの綴じ方向に関する用紙の印刷に関する情報、ステープル動作の有無、パンチ動作の有無、ソートの有無などの後処理印刷に関する情報、画像濃度や印刷に対する画像処理などの画像に関する情報が含まれる。
【００４９】
受信部３０３は、パーソナルコンピュータ３０１からジョブデータを受信する。制御部３０５は、受信部３０３からジョブデータを受け取る。制御部３０５は、画像形成システム１００の全体的な制御を行う。
【００５０】
給紙部３０７は、制御部３０５からの命令、すなわち印刷を開始する場合における給紙部３０７に対する用紙を１枚ずつ給紙する命令に応じて、給紙を開始する。
【００５１】
次に、印刷部３０９は、給紙を開始した場合には、制御部３０５からの命令、すなわち、ジョブデータに応じて、用紙に画像形成する命令に応じて、用紙に画像形成を行う。
【００５２】
制御部３０５は、ジョブデータに両面印刷が含まれる場合には、反転部３１１に対して、用紙を反転して、再度、印刷部３０９に用紙を給紙するように制御する。反転部３１１は、印刷部３０９で印刷された用紙を反転させ、再度、印刷部３０９に対して用紙を搬送する。
【００５３】
制御部３０５は、ジョブデータに後処理が必要な情報が含まれている場合には、後処理部３１３に対して、ステープル動作やパンチ動作、仕分け動作などの後処理動作を行うように制御する。後処理部３１３は、単一の用紙または用紙束に対して、後処理を施す。
【００５４】
制御部３０５は、印刷ジョブが終了した場合には、排出部３１５に対して、単一の用紙または後処理が施された用紙束を排出するように制御する。排出部３１３は、単一の用紙または後処理が施された用紙束を排紙台２１４に排出する。
【００５５】
次に、図４を参照して、本実施形態における制御フロー動作を示す。制御フローにおいて、制御部３０５は、画像形成システム１００全体の制御を行っている。図４に示すように、本実施形態においては、ユーザがＰＣから印刷ジョブに関するジョブデータを発信することにより、スタートされる（ステップ４０１）。
【００５６】
次に、画像形成システム１００が印刷ジョブを受信する（ステップ４０３）。制御部３０５は、受信されたジョブデータに対して、ステープルやパンチなどの後処理動作があるか否かが判断される（ステップ４０５）。
【００５７】
印刷ジョブに後処理動作がない場合（ステップ４０５でＮｏの場合）、印刷ジョブを画像形成システム１００にて印刷して、排紙台２１４に排出する（ステップ４０７）。そして、印刷ジョブは、終了となる（ステップ４０９）。
【００５８】
印刷ジョブに後処理動作がある場合（ステップ４０５でＹｅｓの場合）、後処理動作が不可能であるか否かが判断される（ステップ４１１）。
【００５９】
ここで、本実施形態において、後処理動作が不可の場合とは、例えば、後処理部２１２におけるステープルまたはパンチの許容量が閾値を越えた場合である。後処理動作において、ステープル針の大きさ、ステープル時モータの負荷、パンチ時のモータの負荷を考慮すると、用紙束の枚数が所定枚数に制限される。この所定枚数を越えて印刷ジョブが受信された場合には、後処理部２１２が後処理をすることができない。また、後処理における消耗品が欠如している場合も、後処理動作が不可の場合になる。ここで、後処理における消耗品とは、例えば、ステープル動作においては針であり、スタンプ動作においてはインクである。
【００６０】
後処理動作が可能の場合（ステップ４１１でＮｏの場合）、印刷ジョブを画像形成システム１００にて印刷して、後処理部２１２で後処理動作が施されてから、排紙台２１４に排出する（ステップ４１３）。そして、印刷ジョブは、終了となる（ステップ４１５）。
【００６１】
後処理動作が不可能の場合（ステップ４１１でＹｅｓの場合）、画像形成システム１００は、後処理装置２００において、所定枚数を排出して、部ごとに仕分け動作を行うソートモードに切り替える（ステップ４１７）。そして、ソートモードに切り替えられた場合、ジョブデータが印刷される（ステップ４１９）。
【００６２】
ここで、本来であればステープルやパンチ動作を行うはずであった印刷ジョブであるが、ソートモードで排出されると、どの部分にステープルやパンチ動作などの後処理動作をしなければならないか、印刷物を見ただけでは、直ちにわからない状況にある。
【００６３】
さらに、両面印刷がされている場合において、表面が上面になって排出されるいわゆるフェースアップ排紙の場合や裏面が上面になって排出されるいわゆるフェースダウン排紙の場合などを鑑みると、用紙束の排紙状況によって変動する可能性もある。
【００６４】
したがって、本実施形態においては、図５に示すように、ステープル動作の裏面、パンチ動作の裏面に示すように、印刷ジョブの最終のページの裏面に裏面用後処理位置を印刷するように、印刷部を制御するように構成されている。
【００６５】
さらに、図５に示すように、裏面に加えて、ステープル動作の表面、パンチ動作の表面にも、表面用後処理位置を印刷するように制御するように構成することができる。本実施形態においては、印刷物を排紙台から取得したユーザは、どの位置に、どの方向で後処理動作を行えばよいのか、直ちに理解することができる。すなわち、表面用後処理位置を示す印字形態と裏面用後処理位置を印字する印字形態を異ならせることにより、より、操作者に直ちに後処理形態を理解させることができる。
【００６６】
続いて、図４を参照して、本実施形態における制御フローを説明する。後処理動作が不可能であって、ソートモードに切り替わった場合（ステップ４１７でＮｏの場合）、ジョブデータを印刷する（ステップ４１９）。そのジョブデータをソートモードで印刷する場合に、最終頁の裏面に後処理位置を印刷するように制御する（ステップ４２１）。そして、少なくとも裏面に後処理位置が印刷された状態で、排紙台２１４によってソート動作が行われ、単一用紙または用紙束が排出され（ステップ４２３）、ジョブデータの一連の印刷動作が終了する（ステップ４２５）。
【００６７】
なお、後処理が不可能である場合にソートモードで排出するかもしくは印刷自体をエラーとして警告してユーザに止めるように動かすかの選択は、ユーザが任意に設定してもよい。
【００６８】
また、ステープル動作の後処理位置の印字について、裏面に印字するか、表面に印字するか、双方に印字するか、双方ともに印字しないように設定するかも、ユーザが任意に選択できるものとする。さらに、表面用後処理位置の印字形態と裏面用後処理位置の印字形態を、ユーザが複数選択可能に構成してもよい。本実施形態において、上記のようにユーザが設定することができることにより、ユーザに応じた排出形態を選択できる効果がある。
【００６９】
上記のように、本発明は、本実施形態によって記載したが、この開示の一部をなす論述および図面はこの発明を限定するものであると理解すべきではない。この開示から当業者には様々な代替実施の形態、実施例および運用技術が明らかとなろう。したがって、本発明の技術的範囲は上記の説明から妥当な特許請求の範囲に係る発明特定事項によってのみ定められるものである。
【符号の説明】
【００７０】
１００  画像形成システム
１０２  外部給紙台
１０４  内部給紙台
１０６  外部給紙ローラ
１０８  内部給紙ローラ
１１０  レジストローラ
１１２  搬送ベルト
１１４  印刷部
１１６  上昇搬送ローラ
１２０  水平搬送ローラ
１２２  切替部
１２４  排出搬送ローラ
１２６  反転搬送ローラ
１２８  反転ローラ
１３０  再給紙ローラ
１３２  表示部
ＦＲ  給紙系搬送経路
ＣＲ  通常搬送経路
ＤＲ  排出系搬送路
ＳＲ  反転搬送経路
２００  後処理装置
２０２  後処理搬送ローラ
２０４  排出ローラ
２０６  反転排出ローラ
２０８  支持部材
２１０  後処理送出ローラ
２１２  後処理部
２１４  排紙台
３０１  パーソナルコンピュータ（ＰＣ）
３０３  受信部
３０５  制御部
３０７  給紙部
３０９  印刷部
３１１  反転部
３１３  後処理部
３１５  排出部
【図１】
2014193562.tif 000003
【図２】
2014193562.tif 000004
【図３】
2014193562.tif 000005
【図４】
2014193562.tif 000006
【図５】
2014193562.tif 000007